(57)【要約】【課題】携帯通信端末の機種に応じて容易にソフトウエアを最新バージョンに更新する。【解決手段】サーバ200から携帯通信端末100へのダウンロードでソフトウエアを更新するソフトウエア更新インタフェースに、機種毎にソフトウエア、最新バージョン、重要度、更新時間を保持するサーバの記憶装置部114と、機種、最新バージョン情報を応答し機種、最新バージョン情報、ソフトウエアの重要度、ソフトウエアの更新時間を送信し最新バージョンのソフトウエアをダウンロードするサーバのソフトウエア管理部115と、ソフトウエア、バージョン情報、機種情報を保持する携帯通信端末の記憶装置部106と、バージョン情報を情報表示部102に表示させ、機種情報に対するソフトウエアの最新バージョン情報をサーバに問い合わせ、更新要求、決定をサーバに送信し、サーバからソフトウエアのダウンロードを行う携帯通信端末のソフトウエア管理部105とを備える。【選択図】図１
2006340196.tif 000002
【特許請求の範囲】
【請求項１】
サーバから携帯通信端末へのダウンロードでソフトウエアを更新するソフトウエア更新インタフェースにおいて、
前記携帯通信端末の機種毎に最新バージョンのソフトウエアと共にソフトウエアの最新バージョン情報、ソフトウエアの重要度、ソフトウエアの予想更新時間を含む更新情報を保持するサーバの記憶装置部と、
前記携帯通信端末からの問い合わせに対して、前記サーバの記憶装置部から前記携帯通信端末の機種、ソフトウエアの最新バージョン情報を取り出しサーバから前記携帯通信端末に応答し；前記携帯通信端末からの更新要求に対して前記サーバの記憶装置部から前記携帯通信端末の機種、ソフトウエアの最新バージョン情報、ソフトウエアの重要度、ソフトウエアの予想更新時間を含む更新情報を取り出しサーバから前記携帯通信端末に送信し；前記携帯通信端末からの更新決定に対して前記サーバの記憶装置部から前記携帯通信端末の機種の最新バージョンのソフトウエアを取り出しサーバから前記携帯通信端末にダウンロードするサーバのソフトウエア管理部と、
前記携帯通信端末の情報表示部と、
前記携帯通信端末のソフトウエア、ソフトウエアのバージョン情報、携帯通信端末の機種情報を保持する携帯通信端末の記憶装置部と、
前記携帯通信端末の記憶装置部からソフトウエアのバージョン情報を取り出し、取り出したバージョン情報を前記情報表示部に表示させ；前記携帯通信端末の機種情報を取り出し、取り出した機種情報に対するソフトウエアの最新バージョン情報を前記サーバに問い合わせ前記サーバのソフトウエア管理部からの応答のあった携帯電話機の機種、ソフトウエアの最新バージョン情報、ソフトウエアの重要度を前記情報表示部に表示させ；前記携帯通信端末の機種情報を取り出し、取り出した機種情報に対するソフトウエアの更新要求を前記サーバに対して行い前記サーバのソフトウエア管理部から受信した前記携帯通信端末の機種、ソフトウエアの最新バージョン情報、ソフトウエアの重要度、ソフトウエアの予想更新時間を含む更新情報を前記情報表示部に表示させ；更新要求に対する更新決定を前記サーバに送信し前記サーバのソフトウエア管理部からダウンロードのあった前記携帯通信端末の機種の最新バージョンのソフトウエアに前記携帯通信端末の記憶装置に保持されているソフトウエアを更新し、さらに、ソフトウエアの最新バージョン情報に前記携帯通信端末の記憶装置に保持されているソフトウエアのバージョン情報を更新し、更新終了後前記情報表示部に更新終了を表示させる携帯通信端末のソフトウエア管理部とを備えることを特徴とするソフトウエア更新インタフェース。
【請求項２】
前記携帯通信端末のソフトウエア管理部は、問い合わせに対して前記サーバのソフトウエア管理部からの応答のあった携帯電話機の機種、最新バージョン情報に対して、前記携帯通信端末の記憶装置に保持されているソフトウエアのバージョンと最新バージョンが同じ場合には、ソフトウエアのバージョンが最新バージョンである旨を前記情報表示部に表示させることを特徴とする、請求項１に記載のソフトウエア更新インタフェース。
【請求項３】
前記携帯通信端末のソフトウエア管理部は、更新要求に対して前記サーバのソフトウエア管理部から受信した前記携帯通信端末の機種、ソフトウエアの最新バージョン、ソフトウエアの重要度、ソフトウエアの予想更新時間を含む更新情報に対して、前記携帯通信端末の記憶装置に保持されているソフトウエアのバージョンと最新バージョンが同じ場合には、ソフトウエアの更新を禁止し、ソフトウエアの更新ができない旨を前記情報表示部に表示させることを特徴とする、請求項２に記載のソフトウエア更新インタフェース。
【請求項４】
前記携帯通信端末に情報表示部が設けられておらず、ＬＥＤが設けられている場合、前記携帯通信端末のソフトウエア管理部は、問い合わせ、更新要求に対して、前記サーバのソフトウエア管理部から最新バージョンが現在のバージョンと異なる、又は同じであるとのソフトウエアのバージョン情報を得た場合、前記ＬＥＤの発光色、又は発光点滅回数でソフトウエアのバージョン情報を表示することを特徴とする、請求項１に記載のソフトウエア更新インタフェース。
【請求項５】
前記サーバの記憶装置部に保持されるソフトウエアが緊急度の高いソフトウエアに更新された場合、前記サーバのソフトウエア管理部から前記携帯通信端末の更新部１０５に機種情報、バージョン情報の通知を行い、前記携帯通信端末のソフトウエア管理部では、通知された機種情報、ソフトウエアのバージョン情報を情報表示部に表示させることを特徴とする、請求項１に記載のソフトウエア更新インタフェース。
【請求項６】
サーバから携帯通信端末へのダウンロードでソフトウエアを更新するソフトウエア更新方法において、
前記携帯通信端末の機種毎に最新バージョンのソフトウエアと共にソフトウエアの最新バージョン情報、ソフトウエアの重要度、ソフトウエアの予想更新時間を含む更新情報をサーバに保持する工程と、
前記携帯通信端末にソフトウエア、ソフトウエアのバージョン情報、機種情報を保持する工程と、
前記携帯通信端末に保持されているソフトウエアのバージョン情報を前記携帯通信端末の情報表示部に表示させる工程と、
前記携帯通信端末に保持されている機種情報を取り出し、取り出した機種情報に対するソフトウエアの最新バージョンを前記サーバに問い合わせる工程と、
前記携帯通信端末からの問い合わせに対して前記サーバに保持されている携帯通信端末の機種情報、ソフトウエアの最新バージョン情報、ソフトウエアの重要度情報を取り出し、前記サーバから前記携帯通信端末に送信し応答し前記情報表示部に表示させる工程と、
前記携帯通信端末に保持されている機種情報を取り出し、取り出した機種情報に対する最新バージョンのソフトウエアを前記サーバに更新要求する工程と、
前記携帯通信端末からの更新要求に対して前記サーバに保持されている携帯通信端末の機種、ソフトウエアの最新バージョン、ソフトウエアの重要度、ソフトウエアの予想更新時間を含む更新情報を取り出し、前記サーバから前記携帯通信端末に送信し、前記情報表示部に表示させる工程と、
前記携帯通信端末からの更新要求の更新決定に対して前記サーバに保持されている最新バージョンのソフトウエアを取り出し、前記サーバから前記携帯通信端末にダウンロードし、前記携帯通信端末に保持されているソフトウエア、バージョン情報をダウンロードしたソフトウエア、最新バージョンに更新させ、更新した旨を情報表示部に表示させる工程とを備えることを特徴とするソフトウエア更新方法。
【請求項７】
サーバから携帯通信端末にソフトウエアをダウンロードしてソフトウエアを更新するソフトウエア更新をコンピュータで実行するプログラムにおいて、
前記携帯通信端末の機種毎に最新バージョンのソフトウエアと共にソフトウエアの最新バージョン情報、ソフトウエアの重要度、ソフトウエアの予想更新時間を含む更新情報をサーバに保持する手順と、
前記携帯通信端末にソフトウエア、ソフトウエアのバージョン情報、機種情報を保持する手順と、
前記携帯通信端末に保持されているソフトウエアのバージョン情報を前記携帯通信端末の情報表示部に表示させる手順と、
前記携帯通信端末に保持されている機種情報を取り出し、取り出した機種情報に対するソフトウエアの最新バージョンを前記サーバに問い合わせる手順と、
前記携帯通信端末からの問い合わせに対して前記サーバに保持されている携帯通信端末の機種情報、ソフトウエアの最新バージョン情報、ソフトウエアの重要度情報を取り出し、前記サーバから前記携帯通信端末に送信し応答し前記情報表示部に表示させる手順と、
前記携帯通信端末に保持されている機種情報を取り出し、取り出した機種情報に対する最新バージョンのソフトウエアを前記サーバに更新要求する手順と、
前記携帯通信端末からの更新要求に対して前記サーバに保持されている携帯通信端末の機種、ソフトウエアの最新バージョン、ソフトウエアの重要度、ソフトウエアの予想更新時間を含む更新情報を取り出し、前記サーバから前記携帯通信端末に送信し、前記情報表示部に表示させる手順と、
前記携帯通信端末からの更新要求の更新決定に対して前記サーバに保持されている最新バージョンのソフトウエアを取り出し、前記サーバから前記携帯通信端末にダウンロードし、前記携帯通信端末に保持されているソフトウエア、バージョン情報をダウンロードしたソフトウエア、最新バージョンに更新させ、更新した旨を情報表示部に表示させる手順とを備えることを特徴とするソフトウエア更新をコンピュータで実行するプログラム。
【請求項８】
サーバからのダウンロードでソフトウエアを更新する携帯通信端末において、
前記携帯通信端末の情報表示部と、
前記携帯通信端末のソフトウエアを保持する記憶装置部と、
前記記憶装置に保持されるソフトウエアのバージョン情報を保持するバージョン情報保持部と、
前記携帯通信端末の機種情報を保持する機種情報保持部と、
前記バージョン情報保持部から前記携帯通信端末のバージョン情報を取り出し、取り出したバージョン情報、最新バージョンの確認操作を前記情報表示部に表示させるバージョン情報確認部と、
前記バージョン情報確認部で最新バージョンの確認要求の操作がある場合、前記機種情報保持部から前記携帯通信端末の機種情報を取り出し、取り出した機種情報に対するソフトウエアの最新バージョン情報を前記サーバに問い合わせ、前記サーバから応答のあった携帯通信端末の機種情報、ソフトウエアの最新バージョン情報、ソフトウエアの重要度を前記情報表示部に表示させる問い合わせ部と、
前記機種情報保持部から前記携帯通信端末の機種情報を取り出し、取り出した機種情報に対するソフトウエアの更新要求を前記サーバに対して行い前記サーバから受信した前記携帯通信端末の機種、ソフトウエアの最新バージョン、ソフトウエアの重要度、ソフトウエアの予想更新時間を含む更新情報を前記情報表示部に表示させ、更新要求に対する更新決定を前記サーバに送信し前記サーバからダウンロードのあった前記携帯通信端末の機種の最新バージョンのソフトウエアに、前記記憶装置に保持されているソフトウエアを更新し、さらに、ソフトウエアの最新バージョン情報に、前記バージョン情報保持部に保持されているソフトウエアのバージョン情報を更新し、更新終了後前記情報表示部に更新終了を表示させる更新部とを備えることを特徴とする携帯通信端末。
【請求項９】
携帯通信端末にソフトウエアをダウンロードしソフトウエア更新を行うサーバにおいて、
前記携帯通信端末の機種毎にソフトウエアを保持する記憶装置部と、
前記携帯通信端末の機種毎にソフトウエアの最新バージョン、ソフトウエアの重要度、ソフトウエアの予想更新時間を含む更新情報を保持するソフトウエア情報保持部と、
前記携帯通信端末の機種に対するソフトウエアの最新バージョンの問い合わせに対して、前記ソフトウエア情報保持部から前記携帯通信端末の機種情報、ソフトウエアの最新バージョン情報、ソフトウエアの重要度情報を取り出し、前記携帯通信端末に送信し応答する応答部と、
前記携帯通信端末の機種に対するソフトウエアの更新要求に対して、前記ソフトウエア情報保持部から前記携帯通信端末の機種、ソフトウエアの最新バージョン情報、ソフトウエアの重要度、予想更新時間を含む更新情報を取り出し前記携帯通信端末に送信し、前記携帯通信端末からの更新要求の更新決定に対して前記記憶装置から該当するソフトウエアを取り出し、前記携帯通信端末にダウンロードするダウンロード部とを備えることを特徴とするサーバ。
【発明の詳細な説明】
【技術分野】
【０００１】
本発明は携帯通信端末のソフトウエアを更新するソフトウエア更新インタフェースに関する。特に、本発明は、携帯通信端末の機種に応じてソフトウエアを更新するソフトウエア更新インタフェース、方法、コンピュータで実行するプログラム、携帯通信端末及びサーバに関する。
【背景技術】
【０００２】
携帯通信端末ではそのソフトウエアを最新バージョンに更新することが可能になっている。しかしながら、本発明の前提となる携帯通信端末には機種が多数あり、自分の携帯通信端末の機種について利用者が認識できない場合には、携帯通信端末のソフトウエアを最新バージョンに更新できないという問題がある。
さらに、最新バージョンのソフトウエアの重要度が認識できず、さらに、最新バージョンのソフトウエアの更新時間がどの程度必要か認識できず、利用者が十分な更新情報を得ていないという問題がある。
【０００３】
自分の携帯通信端末の機種について利用者が認識できる場合でも、自分の携帯通信端末の機種を記憶している利用者が少ないので、ソフトウエアの更新時には携帯通信端末の機種を予め確認しておく必要があるため、ソフトウエアの更新は容易にできないという問題がある。
したがって、携帯通信端末の機種に応じて容易にソフトウエアを最新バージョンに更新させる必要があるという課題がある。
【０００４】
このように本発明の前提となる携帯通信端末に対する課題に関連して、下記のような従来技術がある。
従来、携帯端末装置の利用者がインストールの操作を知らなくても、最新のバージョンのプログラムを利用することができるようにするため、携帯端末装置は、インターネットサービスプロバイダのサーバに接続後、インターネットサービスプロバイダのサーバから最新ＡＰバージョン情報を取得し、携帯端末装置内で管理している端末ＡＰバージョン情報と比較を行い、端末ＡＰバージョン情報および最新ＡＰバージョン情報には各アプリケーションのバージョン情報が記録されており、もし携帯端末装置側のアプリケーションのバージョンが古ければ、サーバから最新バージョンのプログラムをダウンロードし、携帯端末装置側のアプリケーションのプログラムを自動的に更新するものがある（例えば、特許文献１参照）。
【０００５】
しかしながら、上記特許文献１では、サーバから最新バージョンのプログラムをダウンロードし、携帯端末装置側のアプリケーションのプログラムを自動的に更新するものであるが、携帯通信端末の機種に応じて容易にソフトウエアを最新バージョンに更新させるものではない。
また、従来、常に自動的に携帯端末の情報のバージョンを更新し、適切に課金処理するため、単体で情報処理を行う携帯端末に記憶されている情報を更新すると共に、その対価として課金処理を行う情報更新方法を開示し、更新されるべき最新バージョンの情報を提供するサーバと、サーバとインターネットを介して接続された情報処理装置とを備え、情報処理装置は、サーバに記憶されている情報のバージョンが携帯端末に記憶されている情報のバージョンより新しい場合、その新しいバージョンの情報を取得した後、携帯端末が接続されると、新しいバージョンの情報を携帯端末に送信するものもある（例えば、特許文献２参照）。
【０００６】
しかしながら、上記特許文献２では、サーバに記憶されている情報のバージョンが携帯端末に記憶されている情報のバージョンより新しい場合、その新しいバージョンの情報を取得した後、携帯端末が接続されると、新しいバージョンの情報を携帯端末に送信するものであるが、前述のように、携帯通信端末の機種に応じて容易にソフトウエアを最新バージョンに更新させるものではない。
【０００７】
【特許文献１】特開２０００−２７６３３５号公報
【特許文献２】特開２００１−２９６９９５号公報
【発明の開示】
【発明が解決しようとする課題】
【０００８】
したがって、本発明は上記問題点に鑑みて、携帯通信端末の機種に応じて容易にソフトウエアを最新バージョンに更新させるソフトウエア更新インタフェース、方法、コンピュータで実行するプログラム、携帯通信端末及びサーバを提供することを目的とする。
【課題を解決するための手段】
【０００９】
本発明は前記問題点を解決するために、サーバから携帯通信端末へのダウンロードでソフトウエアを更新するソフトウエア更新インタフェースにおいて、前記携帯通信端末の機種毎に最新バージョンのソフトウエアと共にソフトウエアの最新バージョン情報、ソフトウエアの重要度、ソフトウエアの予想更新時間を含む更新情報を保持するサーバの記憶装置部と、前記携帯通信端末からの問い合わせに対して、前記サーバの記憶装置部から前記携帯通信端末の機種、ソフトウエアの最新バージョン情報を取り出しサーバから前記携帯通信端末に応答し；前記携帯通信端末からの更新要求に対して前記サーバの記憶装置部から前記携帯通信端末の機種、ソフトウエアの最新バージョン情報、ソフトウエアの重要度、ソフトウエアの予想更新時間を含む更新情報を取り出しサーバから前記携帯通信端末に送信し；前記携帯通信端末からの更新決定に対して前記サーバの記憶装置部から前記携帯通信端末の機種の最新バージョンのソフトウエアを取り出しサーバから前記携帯通信端末にダウンロードするサーバのソフトウエア管理部と、前記携帯通信端末の情報表示部と、前記携帯通信端末のソフトウエア、ソフトウエアのバージョン情報、携帯通信端末の機種情報を保持する携帯通信端末の記憶装置部と、前記携帯通信端末の記憶装置部からソフトウエアのバージョン情報を取り出し、取り出したバージョン情報を前記情報表示部に表示させ；前記携帯通信端末の機種情報を取り出し、取り出した機種情報に対するソフトウエアの最新バージョン情報を前記サーバに問い合わせ前記サーバのソフトウエア管理部からの応答のあった携帯電話機の機種、ソフトウエアの最新バージョン情報、ソフトウエアの重要度を前記情報表示部に表示させ；前記携帯通信端末の機種情報を取り出し、取り出した機種情報に対するソフトウエアの更新要求を前記サーバに対して行い前記サーバのソフトウエア管理部から受信した前記携帯通信端末の機種、ソフトウエアの最新バージョン情報、ソフトウエアの重要度、ソフトウエアの予想更新時間を含む更新情報を前記情報表示部に表示させ；更新要求に対する更新決定を前記サーバに送信し前記サーバのソフトウエア管理部からダウンロードのあった前記携帯通信端末の機種の最新バージョンのソフトウエアに前記携帯通信端末の記憶装置に保持されているソフトウエアを更新し、さらに、ソフトウエアの最新バージョン情報に前記携帯通信端末の記憶装置に保持されているソフトウエアのバージョン情報を更新し、更新終了後前記情報表示部に更新終了を表示させる携帯通信端末のソフトウエア管理部とを備えることを特徴とするソフトウエア更新インタフェースを提供する。
【００１０】
さらに、前記携帯通信端末のソフトウエア管理部は、問い合わせに対して前記サーバのソフトウエア管理部からの応答のあった携帯電話機の機種、最新バージョン情報に対して、前記携帯通信端末の記憶装置に保持されているソフトウエアのバージョンと最新バージョンが同じ場合には、ソフトウエアのバージョンが最新バージョンである旨を前記情報表示部に表示させる。
【００１１】
さらに、前記携帯通信端末のソフトウエア管理部は、更新要求に対して前記サーバのソフトウエア管理部から受信した前記携帯通信端末の機種、ソフトウエアの最新バージョン、ソフトウエアの重要度、ソフトウエアの予想更新時間を含む更新情報に対して、前記携帯通信端末の記憶装置に保持されているソフトウエアのバージョンと最新バージョンが同じ場合には、ソフトウエアの更新を禁止し、ソフトウエアの更新ができない旨を前記情報表示部に表示させる。
【００１２】
さらに、前記携帯通信端末に情報表示部が設けられておらず、ＬＥＤが設けられている場合、前記携帯通信端末のソフトウエア管理部は、問い合わせ、更新要求に対して、前記サーバのソフトウエア管理部から最新バージョンが現在のバージョンと異なる、又は同じであるとのソフトウエアのバージョン情報を得た場合、前記ＬＥＤの発光色、又は発光点滅回数でソフトウエアのバージョン情報を表示する。
【００１３】
さらに、前記サーバの記憶装置部に保持されるソフトウエアが緊急度の高いソフトウエアに更新された場合、前記サーバのソフトウエア管理部から前記携帯通信端末の更新部１０５に機種情報、バージョン情報の通知を行い、前記携帯通信端末のソフトウエア管理部では、通知された機種情報、ソフトウエアのバージョン情報を情報表示部に表示させる。
さらに、本発明は、サーバから携帯通信端末へのダウンロードでソフトウエアを更新するソフトウエア更新方法において、前記携帯通信端末の機種毎に最新バージョンのソフトウエアと共にソフトウエアの最新バージョン情報、ソフトウエアの重要度、ソフトウエアの予想更新時間を含む更新情報をサーバに保持する工程と、前記携帯通信端末にソフトウエア、ソフトウエアのバージョン情報、機種情報を保持する工程と、前記携帯通信端末に保持されているソフトウエアのバージョン情報を前記携帯通信端末の情報表示部に表示させる工程と、前記携帯通信端末に保持されている機種情報を取り出し、取り出した機種情報に対するソフトウエアの最新バージョンを前記サーバに問い合わせる工程と、前記携帯通信端末からの問い合わせに対して前記サーバに保持されている携帯通信端末の機種情報、ソフトウエアの最新バージョン情報、ソフトウエアの重要度情報を取り出し、前記サーバから前記携帯通信端末に送信し応答し前記情報表示部に表示させる工程と、前記携帯通信端末に保持されている機種情報を取り出し、取り出した機種情報に対する最新バージョンのソフトウエアを前記サーバに更新要求する工程と、前記携帯通信端末からの更新要求に対して前記サーバに保持されている携帯通信端末の機種、ソフトウエアの最新バージョン、ソフトウエアの重要度、ソフトウエアの予想更新時間を含む更新情報を取り出し、前記サーバから前記携帯通信端末に送信し、前記情報表示部に表示させる工程と、前記携帯通信端末からの更新要求の更新決定に対して前記サーバに保持されている最新バージョンのソフトウエアを取り出し、前記サーバから前記携帯通信端末にダウンロードし、前記携帯通信端末に保持されているソフトウエア、バージョン情報をダウンロードしたソフトウエア、最新バージョンに更新させ、更新した旨を情報表示部に表示させる工程とを備えることを特徴とするソフトウエア更新方法を提供する。
【００１４】
さらに、本発明は、サーバから携帯通信端末にソフトウエアをダウンロードしてソフトウエアを更新するソフトウエア更新をコンピュータで実行するプログラムにおいて、前記携帯通信端末の機種毎に最新バージョンのソフトウエアと共にソフトウエアの最新バージョン情報、ソフトウエアの重要度、ソフトウエアの予想更新時間を含む更新情報をサーバに保持する手順と、前記携帯通信端末にソフトウエア、ソフトウエアのバージョン情報、機種情報を保持する手順と、前記携帯通信端末に保持されているソフトウエアのバージョン情報を前記携帯通信端末の情報表示部に表示させる手順と、前記携帯通信端末に保持されている機種情報を取り出し、取り出した機種情報に対するソフトウエアの最新バージョンを前記サーバに問い合わせる手順と、前記携帯通信端末からの問い合わせに対して前記サーバに保持されている携帯通信端末の機種情報、ソフトウエアの最新バージョン情報、ソフトウエアの重要度情報を取り出し、前記サーバから前記携帯通信端末に送信し応答し前記情報表示部に表示させる手順と、前記携帯通信端末に保持されている機種情報を取り出し、取り出した機種情報に対する最新バージョンのソフトウエアを前記サーバに更新要求する手順と、前記携帯通信端末からの更新要求に対して前記サーバに保持されている携帯通信端末の機種、ソフトウエアの最新バージョン、ソフトウエアの重要度、ソフトウエアの予想更新時間を含む更新情報を取り出し、前記サーバから前記携帯通信端末に送信し、前記情報表示部に表示させる手順と、前記携帯通信端末からの更新要求の更新決定に対して前記サーバに保持されている最新バージョンのソフトウエアを取り出し、前記サーバから前記携帯通信端末にダウンロードし、前記携帯通信端末に保持されているソフトウエア、バージョン情報をダウンロードしたソフトウエア、最新バージョンに更新させ、更新した旨を情報表示部に表示させる手順とを備えることを特徴とするソフトウエア更新をコンピュータで実行するプログラムを提供する。
【００１５】
さらに、本発明は、サーバからのダウンロードでソフトウエアを更新する携帯通信端末において、前記携帯通信端末の情報表示部と、前記携帯通信端末のソフトウエアを保持する記憶装置部と、前記記憶装置に保持されるソフトウエアのバージョン情報を保持するバージョン情報保持部と、前記携帯通信端末の機種情報を保持する機種情報保持部と、前記バージョン情報保持部から前記携帯通信端末のバージョン情報を取り出し、取り出したバージョン情報、最新バージョンの確認操作を前記情報表示部に表示させるバージョン情報確認部と、前記バージョン情報確認部で最新バージョンの確認要求の操作がある場合、前記機種情報保持部から前記携帯通信端末の機種情報を取り出し、取り出した機種情報に対するソフトウエアの最新バージョン情報を前記サーバに問い合わせ、前記サーバから応答のあった携帯通信端末の機種情報、ソフトウエアの最新バージョン情報、ソフトウエアの重要度を前記情報表示部に表示させる問い合わせ部と、前記機種情報保持部から前記携帯通信端末の機種情報を取り出し、取り出した機種情報に対するソフトウエアの更新要求を前記サーバに対して行い前記サーバから受信した前記携帯通信端末の機種、ソフトウエアの最新バージョン、ソフトウエアの重要度、ソフトウエアの予想更新時間を含む更新情報を前記情報表示部に表示させ、更新要求に対する更新決定を前記サーバに送信し前記サーバからダウンロードのあった前記携帯通信端末の機種の最新バージョンのソフトウエアに、前記記憶装置に保持されているソフトウエアを更新し、さらに、ソフトウエアの最新バージョン情報に、前記バージョン情報保持部に保持されているソフトウエアのバージョン情報を更新し、更新終了後前記情報表示部に更新終了を表示させる更新部とを備えることを特徴とする携帯通信端末を提供する。
【００１６】
さらに、本発明は、携帯通信端末にソフトウエアをダウンロードしソフトウエア更新を行うサーバにおいて、前記携帯通信端末の機種毎にソフトウエアを保持する記憶装置部と、前記携帯通信端末の機種毎にソフトウエアの最新バージョン、ソフトウエアの重要度、ソフトウエアの予想更新時間を含む更新情報を保持するソフトウエア情報保持部と、
前記携帯通信端末の機種に対するソフトウエアの最新バージョンの問い合わせに対して、前記ソフトウエア情報保持部から前記携帯通信端末の機種情報、ソフトウエアの最新バージョン情報、ソフトウエアの重要度情報を取り出し、前記携帯通信端末に送信し応答する応答部と、前記携帯通信端末の機種に対するソフトウエアの更新要求に対して、前記ソフトウエア情報保持部から前記携帯通信端末の機種、ソフトウエアの最新バージョン情報、ソフトウエアの重要度、予想更新時間を含む更新情報を取り出し前記携帯通信端末に送信し、前記携帯通信端末からの更新要求の更新決定に対して前記記憶装置から該当するソフトウエアを取り出し、前記携帯通信端末にダウンロードするダウンロード部とを備えることを特徴とするサーバを提供する。
【発明の効果】
【００１７】
以上説明したように、本発明によれば、携帯通信端末の機種毎に最新バージョンのソフトウエアと共にソフトウエアの最新バージョン情報、ソフトウエアの重要度、ソフトウエアの予想更新時間を含む更新情報をサーバに保持し、携帯通信端末にソフトウエア、ソフトウエアのバージョン情報、機種情報を保持し、携帯通信端末に保持されているソフトウエアのバージョン情報を携帯通信端末の情報表示部に表示させ、携帯通信端末に保持されている機種情報を取り出し、取り出した機種情報に対するソフトウエアの最新バージョンをサーバに問い合わせ、携帯通信端末からの問い合わせに対してサーバに保持されている携帯通信端末の機種情報、ソフトウエアの最新バージョン情報、ソフトウエアの重要度情報を取り出し、サーバから携帯通信端末に送信し応答し情報表示部に表示させ、携帯通信端末に保持されている機種情報を取り出し、取り出した機種情報に対する最新バージョンのソフトウエアをサーバに更新要求し、携帯通信端末からの更新要求に対してサーバに保持されている携帯通信端末の機種、ソフトウエアの最新バージョン、ソフトウエアの重要度、ソフトウエアの予想更新時間を含む更新情報を取り出し、サーバから携帯通信端末に送信し、情報表示部に表示させ、携帯通信端末からの更新要求の更新決定に対してサーバに保持されている最新バージョンのソフトウエアを取り出し、サーバから携帯通信端末にダウンロードし、携帯通信端末に保持されているソフトウエア、バージョン情報をダウンロードしたソフトウエア、最新バージョンに更新させ、更新した旨を情報表示部に表示させるようにしたので、携帯通信端末の機種に対する現在のソフトウエアのバージョンを確認でき、さらに、携帯通信端末の多数の機種のソフトウエアを管理するサーバに携帯通信端末の機種に対するソフトウエアの最新バージョンが確認でき、利用者が容易にソフトウエアのバージョンアップの判断を行うことが可能になった。
【００１８】
さらに、サーバに更新サイズ情報、更新時間情報を保持するようにしたので、更新する時間を携帯通信端末に通知することができるようにしたので、利用者がソフトウエアの更新時間をソフトウエアの更新前に知ることが可能になった。
さらに、ＬＥＤの発光色、点滅回数などでソフトウエアの現在のバージョンが最新バージョンか否かの判断が可能になるので、液晶表示部がない携帯通信端末にも本発明の適用が可能である。
【００１９】
さらに、緊急度の高いソフトウエアに対してはサーバから携帯通信端末に機種情報と共に通知があるので、利用者に対して重要なソフトウエアを更新することを促すことが可能になる。
【発明を実施するための最良の形態】
【００２０】
以下、本発明の実施の形態について図面を参照して説明する。
図１は本発明に係るソフトウエア更新インタフェースの概略構成を示すブロック図である。本図に示すように、携帯通信端末１００とサーバ２００とは公衆網又は優先ケーブル１２１で相互に接続され、本発明に係るソフトウエア更新インタフェースは、携帯通信端末１００からサーバ２００への問い合わせに対してサーバ２００から携帯通信端末１００に最新バージョンの情報の提供、最新バージョンのソフトウエアのダウンロードを行い、携帯通信端末１００のソフトウエアの更新をプログラム制御で行う。以下詳細に説明を行う。
【００２１】
携帯通信端末１００は入力装置部１０１を有し、入力装置部１０１は携帯通信端末１００のボタンなどにより利用者が携帯通信端末１００の操作を行う機能を有する。
さらに、携帯通信端末１００は情報表示部１０２を有し、情報表示部１０２は液晶（ＬＣＤ）等のディスプレイであり、ソフトウエアの状態を表示する。
さらに、入力装置部１０１、情報表示部１０２には入出力装置制御部１０４が接続され、入出力装置制御部１０４は入力装置部１０１から情報を受け、情報表示部１０２にに情報を渡す。
【００２２】
入出力装置制御部１０４にはソフトウエア管理部１０５が接続され、ソフトウエア管理部１０５は、ＣＰＵ（中央演算装置）で構成され、携帯通信端末１００に使用されるソフトウエアの管理を行う。
ソフトウエア管理部１０５には記憶装置部１０６が接続され、記憶装置部１０６は携帯通信端末１００に使用されるソフトウエアを保持する。
【００２３】
携帯通信端末１００に使用されるソフトウエアにはオペレーティングシステム、アプリケーション、データベースが含まれる。
さらに、ソフトウエア管理部１０５には通信制御装置部１０７が接続され、通信制御装置部１０７は公衆網又は優先ケーブル１２１を利用してサーバ２００に接続するための通信装置である。
【００２４】
さらに、記憶装置部１０６のデータベースにはバージョン情報保持部１０６Ａ、機種情報保持部１０６Ｂが設けられる。
ここに、バージョン情報保持部１０６Ａは記憶装置部１０６に保持されているソフトウエアのバージョン情報を保持する。
機種情報保持部１０６Ｂは携帯通信端末１００の機種情報を保持する。
【００２５】
さらに、ソフトウエア管理部１０５にはバージョン情報確認部１０５Ａ、問い合わせ部１０５Ｂ、更新部１０５Ｃが設けられる。
ここに、バージョン情報確認部１０５Ａは、入力装置部１０１の操作による要求に対して記憶装置部１０６のバージョン情報保持部１０６Ａからバージョン情報を取り出し、情報表示部１０２に表示する。
【００２６】
問い合わせ部１０５Ｂは、入力装置部１０１の操作による要求に対して、記憶装置部１０６の機種情報保持部１０６Ｂから携帯通信端末１００の機種情報を取り出し、取り出した機種情報を示しサーバ２００に最新バージョン情報の問い合わせを行い、サーバ２００から得た最新バージョン情報を情報表示部１０２に表示する。
更新部１０５Ｃは通信制御装置部１０７を介してサーバ２００からソフトウエアをダウンロードし、機種情報保持部１０６Ｂに保持されているソフトウエアをダウンロードしたソフトウエアに更新する。
【００２７】
次に、サーバ２００は入力装置部１１１を有し、入力装置部１１１はキーボード、マウス、補助ディスク装置、センサからなり、サーバ２００の操作を行う機能を有する。
さらに、サーバ２００は情報表示部１１２を有し、情報表示部１１２は液晶（ＬＣＤ）等のディスプレイであり、携帯電話機１００にダウンロードされるソフトウエアの情報を表示する。
【００２８】
さらに、入力装置部１１１、情報表示部１１２には入出力装置制御部１１３が接続され、入出力装置制御部１１３は入力装置部１１１から情報を受け、情報表示部１１２に情報を渡す。
入出力装置制御部１１３にはソフトウエア管理部１１５が接続され、ソフトウエア管理部１１５は、ＣＰＵで構成され、携帯通信端末１００にダウンロードされるソフトウエアの管理を行う。
【００２９】
ソフトウエア管理部１１５には記憶装置部１１４が接続され、記憶装置部１１４は主記憶装置、外部記憶装置からなり、外部記憶装置には各機種の携帯通信端末１００に対してダウンロードすべきソフトウエアが保持される。
記憶装置部１１４の外部記憶装置に保持されるソフトウエアにはオペレーティングシステム、アプリケーション、データベースが含まれる。
【００３０】
さらに、記憶装置部１１４の外部記憶装置のデータベースにはソフトウエア情報保持部１１４Ａが設けられ、ソフトウエア情報保持部１１４Ａは携帯通信端末１００の機種に対してソフトウエアの各種情報を保持する。
ソフトウエア管理部１１５には通信制御装置部１１６が接続され、通信制御装置部１１６は公衆網又は優先ケーブル１２１を利用する通信装置である。
【００３１】
さらに、ソフトウエア管理部１１５には通信制御装置部１１６が接続され、通信制御装置部１１６は公衆網又は優先ケーブル１２１を利用して携帯通信端末１００の通信制御装置部１０７に接続するための通信装置である。
ソフトウエア管理部１１５には応答部１１５Ａ、ダウンロード部１１５Ｂが設けられる。
【００３２】
ここに、応答部１１５Ａは携帯通信端末１００からサーバ２００に送られてくる機種情報をキーにして、記憶装置部１１４のデータベースにアクセスし、最新のソフトウエアバージョン、重要度、更新サイズ、更新時間の情報を携帯通信端末１００に応答する。
ダウンロード部１１５Ｂは、携帯通信端末１００からサーバ２００に送られてくる更新要求に対して、記憶装置部１１４から最新のソフトウエアのダウンロードを携帯通信端末１００に対して行う。
【００３３】
図２は図１におけるサーバ２００の記憶装置部１１４のデータベースにおけるソフトウエア情報保持部１１４Ａが保持するソフトウエア情報を説明する図である。本図に示すように、ソフトウエア情報保持部１１４Ａには機種情報欄、ソフトウエアバージョン欄、サイズ欄、予想更新時間欄、更新モジュール欄、重要度欄が設けられる。
【００３４】
機種欄にはサーバ２００が取り扱う携帯通信端末１００の機種情報が記載される。
ソフトウエア欄には携帯通信端末１００の機種に対して最新バージョンが記載される。
サイズ欄には最新バージョンに対するソフトウエアのサイズが記載される。これにより、ダウンロードの時間が予想可能になる。
【００３５】
予想更新時間欄には最新バージョンのソフトウエアの予想更新時間が記載される。
更新モジュール欄には更新モジュールが記載される。
重要度欄には更新するべきソフトウエアの重要度が記載される。
図３は図１における携帯通信端末１００の情報表示部１０２にソフトウエアの現在のバージョンを表示する表示画面の例を示す図である。本図に示すように、携帯通信端末１００のソフトウエアの現在のバージョンの確認を行う場合、ソフトウエア管理部１０５のバージョン情報確認部１０５Ａは記憶装置部１０６のバージョン情報保持部１０６Ａからソフトウエアの現在のバージョンを取り出し情報表示部１０２に表示させ、現在のバージョンを確認することを可能とする。情報表示部１０２には、さらに、最新バージョン情報の確認操作のＯＫボタン、キャンセルボタンが表示される。
【００３６】
表示ＯＫボタンをクリックして最新バージョンの確認が要求されると、問い合わせ部１０５Ｂでは、記憶装置部１０６の機種情報保持部１０６Ｂから携帯通信端末１００の機種情報を取り出し通信制御装置部１０７から公衆網又は優先ケーブル１２１を介してサーバ２００の通信制御装置部１１６に送信しサーバ２００に最新バージョンの問い合わせを行い、ソフトウエア管理部１１５の応答部１１５Ａでは、記憶装置部１１４のソフトウエア情報保持部１１４Ａから該当する機種情報に対する最新バージョン情報、重要度情報を、通信制御装置部１１６から公衆網又は優先ケーブル１２１を介して通信制御装置部１０７に送信し、問い合わせ部１０５Ｂの問い合わせに対する応答を行う。
【００３７】
図４は図１における携帯通信端末１００の情報表示部１０２にソフトウエアの最新バージョンを表示する表示画面の例を示す図である。本図（ａ）に示すように、問い合わせ部１０５Ｂでは、サーバ２００から最新バージョンの応答がある場合、応答した最新バージョン情報を機種情報、重要度情報と共に情報表示部１０２に表示させる。
本図（ｂ）に示すように、問い合わせ部１０５Ｂでは、サーバ２００から応答された最新バージョンが現在のバージョンと同じ場合には、応答した最新バージョン情報を、機種情報、重要度情報と共に表示し、さらに、携帯通信端末１００の現在のソフトウエアが最新バージョンであることを表示する。
【００３８】
図５は図１における携帯通信端末１００の情報表示部１０２にソフトウエアの更新情報を表示する表示画面の例を示す図である。本図（ａ）に示すように、携帯通信端末１００のソフトウエアの更新を行う場合には、ソフトウエア管理部１０５の更新部１０５Ｃでは、記憶装置部１０６の機種情報保持部１０６Ｂから携帯通信端末１００の機種情報を取り出し、通信制御装置部１０７から公衆網又は優先ケーブル１２１を介して通信制御装置部１１６に送信し、サーバ２００に携帯通信端末１００の機種に対するソフトウエアの更新の要求を行い、サーバ２００におけるソフトウエア管理部１１５のダウンロード部１１５Ｂでは記憶装置部１１４のソフトウエア情報保持部１１４Ａから機種情報、最新バージョン情報、重要度情報、更新サイズ情報、予想更新時間情報を取りだし、通信制御装置部１１６から公衆網又は優先ケーブル１２１を介して通信制御装置部１０７に送信し、ソフトウエア管理部１０５の更新部１０５Ｃでは、現在の機種、バージョン、受信した機種、最新バージョン、重要度、更新サイズ、予想更新時間を含む更新情報を情報表示部１０２に表示させる。さらに、更新決定操作のＯＫボタン、キャンセルボタンが表示される。
【００３９】
本図（ｂ）に示すように、更新部１０５Ｃでは、現在のバージョンと最新バージョンが同じ場合には、ソフトウエアの更新を禁止し、情報表示部１０２には、ソフトウエアの更新ができない旨を表示する。
図６は図５の表示画面で更新決定されたソフトウエアの更新終了を表示する表示画面の例を示す図である。本図に示すように、図６の表示画面で更新決定された場合、更新部１０５Ｃでは、更新決定を、通信制御装置部１０７から公衆網又は優先ケーブル１２１を介して通信制御装置部１１６に送信し、ソフトウエア管理部１１５のダウンロード部１１５Ｂでは、更新決定を受信すると、記憶装置部１１４から該当するソフトウエアを取り出し、通信制御装置部１１６から公衆網又は優先ケーブル１２１を介して通信制御装置部１０７にダウンロードし、更新部１０５Ｃでは、記憶装置部１０６に保持されたソフトウエアをダウンロードしたソフトウエアに更新し、さらに、バージョン情報保持部１０６Ａに保持されているバージョンを最新バージョンに更新し、更新部１０５Ｃは情報表示部１０２に更新終了を表示させる。
【００４０】
図７は図１におけるソフトウエア更新インタフェースの一連の動作例を詳細に説明するフローチャートである。本図に示すように、ステップ２０１において、利用者が携帯通信端末１００のソフトウエアのバージョンの状況を知りたいと考えたとき、入力装置部１０１からキーを入力してソフトウエア管理部１０５を起動する。
ステップ２０２において、起動したソフトウエア管理部１０５のバージョン情報確認部１０５Ａは記憶装置部１０６に存在するソフトウエアの現在のバージョン情報をバージョン情報保持部１０６Ａから取得し、情報表示部１０２に表示し、利用者に確認可能にする（図３の表示画面を参照）。
【００４１】
ステップ２０３において、バージョン情報確認部１０５Ａでは最新バージョン情報の確認の判断を行う。利用者がソフトウエアの最新バージョン情報を知りたい場合には情報表示部１０２の表示画面において、入力装置部１０１から確認操作ボタンをクリックし、確認の判断を行い、最新バージョン情報の入力選択を行う。キャンセルボタンのクリックで確認の判断を行わない場合は処理を終了する。
【００４２】
ステップ２０４において、ソフトウエア管理部１０５の問い合わせ部１０５Ｂでは、確認の判断が行われ、最新バージョンの情報を入手する場合には、バージョン情報保持部１０６Ａから携帯通信端末１００の機種情報を取り出し、通信制御装置部１０７から公衆網又は優先ケーブル１２１を介してサーバ２００の通信制御装置部１１６に対して通信を行い、取り出した携帯通信端末１００の機種情報を示し、ソフトウエアの問い合わせを行う。
【００４３】
ステップ２０５において、サーバ２００におけるソフトウエア管理部１１５の応答部１１５Ａでは、問い合わせから携帯通信端末１００の機種情報を取り出し、記憶装置部１１４のソフトウエア情報保持部１１４Ａから携帯通信端末１００の機種に対するソフトウエ１２１を介して通信制御装置部１０７に送信し、問い合わせに対する応答を行う。
ステップ２０６において、ソフトウエア管理部１０５の問い合わせ部１０５Ｂでは、問い合わせに対する応答があると、ソフトウエアの最新バージョンの情報を情報表示部１０２に表示する（図４（ａ）参照）。問い合わせ部１０５Ｂでは、現在のソフトウエアが最新バージョンである場合には、その旨を表示する（図４（ｂ）参照）。
【００４４】
ステップ２０７において、ソフトウエア管理部１０５の更新部１０５Ｃでは、入力装置部１０１の入力からソフトウエアの更新要求があるか否かを判断する。更新要求がない場合には処理を終了する。
ステップ２０８において、利用者が最新バージョンのソフトウエアにバージョンアップしたいと考えて、入力装置部１０１を使用して、更新要求がある場合には、更新部１０５Ｃでは、記憶装置部１０６の機種情報保持部１０６Ｂから携帯通信端末１００の機種情報を取り出し、通信制御装置部１０７から公衆網又は優先ケーブル１２１を介してサーバ２００の通信制御装置部１１６に対して通信を行い、取り出した携帯通信端末１００の機種情報を示し、サーバ２００に対してソフトウエアの更新要求を行う。サーバ２００において、ソフトウエア管理部１１５のダウンロード部１１５Ｂでは、記憶装置部１１４のソフトウエア情報保持部１１４Ａから該当する機種に対するソフトウエアの最新バージョン情報、重要度情報、更新サイズ、予想更新時間を取り出し、通信制御装置部１１６から公衆網又は優先ケーブル１２１を介して通信制御装置部１０７に送信する。更新部１０５Ｃでは、現在の機種、バージョン、受信した機種、最新バージョン、重要度、更新サイズ、予想更新時間を情報表示部１０２に表示する（図５（ａ）参照）。
【００４５】
ステップ２０９において、情報表示部１０２の表示を参照して、利用者が行う更新決定に対して、更新部１０５Ｃでは、更新決定の判断処理を行う。更新決定がされない場合には処理を終了し、さらに、現在のバージョンと最新バージョンが同じで更新できない場合（図５（ｂ）参照）には処理を終了する。
ステップ２１０において、更新部１０５Ｃでは、利用者が入力装置部１０１を使用してソフトウエアの更新決定を行った場合には更新決定がされたと判断し、更新決定を、通信制御装置部１０７から公衆網又は優先ケーブル１２１を介して通信制御装置部１１６に送信し、ソフトウエア管理部１１５のダウンロード部１１５Ｂでは、記憶装置部１１４から該当するソフトウエアを取り出し、通信制御装置部１１６から公衆網又は優先ケーブル１２１を介して通信制御装置部１０７にダウンロードし、更新部１０５Ｃでは、記憶装置部１０６に保持されているソフトウエアをダウンロードしたソフトウエアに更新し、さらに、機種情報保持部１０６Ｂに保持されているバージョン情報を最新バージョン情報に更新する。
【００４６】
ステップ２１１において、更新部１０５Ｃでは、更新終了を情報表示部１０２に表示させる（図６参照）。入力装置部１０１において、確認をするとソフトウエア管理部１０５は正常終了する。
したがって、本発明によれば、携帯通信端末の機種に対する現在のソフトウエアのバージョンを確認でき、さらに、携帯通信端末の多数の機種のソフトウエアを管理するサーバに携帯通信端末の機種に対するソフトウエアの最新バージョンを確認できるようにしたので、利用者が容易にソフトウエアのバージョンアップの判断を行うことが可能になった。
【００４７】
さらに、サーバに更新サイズ情報、更新時間情報を保持するようにしたので、更新する時間を携帯通信端末に通知することができるようにしたので、利用者がソフトウエアの更新時間をソフトウエアの更新前に知ることが可能になった。
【実施例１】
【００４８】
図８は図１の変形例であり、本発明に係るソフトウエア更新インタフェースの概略構成を示すブロック図である。本図に示すように、図１と比較して、携帯通信端末１００には情報表示部１０２に代わり、ＬＥＤ１０３が設けられているとする。
ＬＥＤ１０３は、発光ダイオードであり、ＬＥＤ１０３の発光色、点滅回数などでソフトウエアの状態を表示する。
【００４９】
これにより、情報表示部１０２を備えない携帯通信端末１００に対しても本発明の適用が可能になる。
一例として、ソフトウエア管理部１０５の問い合わせ部１０５Ｂからサーバ２００への問い合わせに対して、サーバ２００の応答部１１５Ａから最新バージョンが現在のバージョンと異なるとの応答の場合には、ＬＥＤ１０３は赤色に点灯し、最新バージョンが現在のバージョンと同じであるとの応答の場合には緑色に点灯するようにしてもよい。
【００５０】
さらに、ソフトウエア管理部１０５の更新部１０５Ｃからサーバ２００の更新要求に対して、サーバ２００のダウンロード部１１５Ｂから最新バージョンが現在のバージョンと異なるとの受信の場合には、ＬＥＤ１０３は赤色に点灯し、最新バージョンが現在のバージョンと同じであるとの応答の場合には緑色に点灯するようにしてもよい。
さらに、ソフトウエア管理部１０５の問い合わせ部１０５Ｂからサーバ２００への問い合わせに対して、サーバ２００の応答部１１５Ａから最新バージョンが現在のバージョンと異なるとの応答の場合にはＬＥＤ１０３は、例えば、５回点滅し、最新バージョンが現在のバージョンと同じであるとの応答の場合には連続点灯とするようにしてもよい。
【００５１】
さらに、ソフトウエア管理部１０５の更新部１０５Ｃからサーバ２００の更新要求に対して、サーバ２００のダウンロード部１１５Ｂから最新バージョンが現在のバージョンと異なるとの受信の場合には、ＬＥＤ１０３は、例えば、５回点滅し、最新バージョンが現在のバージョンと同じであるとの応答の場合には連続点灯とするようにしてもよい。
【実施例２】
【００５２】
図１又は図８におけるサーバ２００の記憶装置部１１４に、例えば、緊急度の高いソフトウエアが更新された場合、ソフトウエア管理部１１５は通信制御装置部１１６から公衆網又は優先ケーブル１２１を介して携帯通信端末１００の通信制御装置部１０７に、機種情報、バージョン情報の通知を行い、ソフトウエア管理部１０５では、対象の機種情報、ソフトウエアのバージョン情報を確認し、ソフトウエアの更新が必要と判断した場合には、情報表示部１０２にアイコンを表示する。これにより、利用者に対して重要なソフトウエアを更新することを促すことが可能になる。
【産業上の利用可能性】
【００５３】
以上、携帯通信端末について説明を行ったが、これに限らず、携帯電話機、ＰＨＳ（簡易携帯電話機）、ＰＤＡ（携帯情報端末）にも利用可能である。
【図面の簡単な説明】
【００５４】
【図１】本発明に係るソフトウエア更新インタフェースの概略構成を示すブロック図である。
【図２】図１におけるサーバ２００の記憶装置部１１４のデータベースにおけるソフトウエア情報保持部１１４Ａが保持するソフトウエア情報を説明する図である。
【図３】図１における携帯通信端末１００の情報表示部１０２にソフトウエアの現在のバージョンを表示する表示画面の例を示す図である。
【図４】図１における携帯通信端末１００の情報表示部１０２にソフトウエアの最新バージョンを表示する表示画面の例を示す図である。
【図５】図１における携帯通信端末１００の情報表示部１０２にソフトウエアの更新情報を表示する表示画面の例を示す図である。
【図６】図５の表示画面で更新決定されたソフトウエアの更新終了を表示する表示画面の例を示す図である。
【図７】図１におけるソフトウエア更新インタフェースの一連の動作例を詳細に説明するフローチャートである。
【図８】図１の変形例であり、本発明に係るソフトウエア更新インタフェースの概略構成を示すブロック図である。
【符号の説明】
【００５５】
１００…携帯通信端末
１０１…入力装置部
１０２…情報表示部
１０３…ＬＥＤ
１０４…入出力装置制御部
１０５…ソフトウエア管理部
１０５Ａ…バージョン情報確認部
１０５Ｂ…問い合わせ部
１０５Ｃ…更新部
１０６…記憶装置部
１０６Ａ…バージョン情報保持部
１０６Ｂ…機種情報保持部
１０７…通信制御装置部
１１１…入力装置部
１１２…情報表示部
１１３…入出力装置制御部
１１４…記憶装置部
１１４Ａ…ソフトウエア情報保持部
１１５…ソフトウエア管理部
１１５Ａ…応答部
１１５Ｂ…ダウンロード部
１１６…通信制御装置部
１２１…公衆網又は優先ケーブル
２００…サーバ
【図１】
2006340196.tif 000003
【図２】
2006340196.tif 000004
【図３】
2006340196.tif 000005
【図４】
2006340196.tif 000006
【図５】
2006340196.tif 000007
【図６】
2006340196.tif 000008
【図７】
2006340196.tif 000009
【図８】
2006340196.tif 000010